(57)【要約】【課題】高次クロスコネクト機能と低次クロスコネクト機能の双方を具備し、サービス断を伴うことなくリングネットワークにおいて追加及び削除することが可能な多重化装置及びその使用方法を提供する。【解決手段】多重化装置の高次クロスコネクト部（１００）が高次の同期網信号を任意の高次入力チャネルから入力して任意の高次出力チャネルにクロスコネクトし、低次クロスコネクト部（２００）が該高次の同期網信号に多重化可能な低次の信号を任意の低次入力チャネルから入力して任意の低次出力チャネルにクロスコネクトし、該高次出力チャネルの一部と該低次入力チャネルの一部とを接続すると共に、該低次出力チャネルの一部と該高次入力チャネルの一部とを接続する。【選択図】      図４
2004222055.tif 000002
【特許請求の範囲】
【請求項１】
高次の同期網信号を任意の高次入力チャネルから入力して任意の高次出力チャネルにクロスコネクトする高次クロスコネクト部と、
該高次の同期網信号に多重化可能な低次の信号を任意の低次入力チャネルから入力して任意の低次出力チャネルにクロスコネクトする低次クロスコネクト部と、
を備え、
該高次出力チャネルの一部と該低次入力チャネルの一部とを接続すると共に、該低次出力チャネルの一部と該高次入力チャネルの一部とを接続したことを特徴とする多重化装置。
【請求項２】
請求項１において、
高次のリングネットワークへ追加するときには、該高次クロスコネクト部が第１の高次入力チャネルと第１の高次出力チャネルとをスルークロスコネクトした状態で該リングネットワークに挿入した後、該高次クロスコネクト部が、該第１の高次入力チャネルからの信号を該第１の高次出力チャネルとは別の第２の高次出力チャネルにも分岐するようにクロスコネクトし、該低次クロスコネクト部が、該第２の高次出力チャネルに接続された低次入力チャネルと該第１の高次入力チャネルとは別の第２の高次入力チャネルに接続された低次出力チャネルとをスルークロスコネクトし、さらに該高次クロスコネクト部が、該第１の高次出力チャネルに対する入力側を該第１の高次入力チャネルから該第２の高次入力チャネルに切り替えることを特徴とした多重化装置。
【請求項３】
請求項２において、
該リングネットワークから削除するときには、該高次クロスコネクト部が該第１の高次出力チャネルに対するクロスコネクトの入力側を該第２の高次入力チャネルから該第１の高次入力チャネルに切り替えてスルークロスコネクトすることを特徴とした多重化装置。
【請求項４】
請求項１に記載した多重化装置を、該高次クロスコネクト部が第１の高次入力チャネルと第１の高次出力チャネルとをスルークロスコネクトした状態でリングネットワークに接続する第１ステップと、
該第１ステップ実行後、該高次クロスコネクト部が該第１の高次入力チャネルからの信号を該第１の高次出力チャネルとは別の第２の高次出力チャネルにも分岐するようにクロスコネクトする第２ステップと、
該第２ステップ実行後、該低次クロスコネクト部が該第２の高次出力チャネルに接続された低次入力チャネルと該第１の高次入力チャネルとは別の第２の高次入力チャネルに接続された低次出力チャネルとをスルークロスコネクトする第３ステップと、
該第３ステップ実行後、該高次クロスコネクト部が該第１の高次出力チャネルに対する入力側を該第１の高次入力チャネルから該第２の高次入力チャネルに切り替える第４ステップと、
を有することを特徴としたリングネットワークへの多重化装置追加方法。
【請求項５】
請求項４に記載した方法で該リングネットワークに追加された該多重化装置を削除するときには、該高次クロスコネクト部が該第１の高次出力チャネルに対するクロスコネクトの入力側を該第２の高次入力チャネルから該第１の高次入力チャネルに切り替える削除準備ステップを有することを特徴としたリングネットワークからの多重化装置削除方法。
【発明の詳細な説明】
【０００１】
【発明の属する技術分野】
本発明は、多重化装置及びその使用方法に関し、特にＢＬＳＲ冗長方式を用いた多重化装置及びその使用方法に関する。
【０００２】
【従来の技術】
高速伝送のための多重化方式としてＳＤＨ（Ｓｙｎｃｈｒｏｎｏｕｓ  Ｄｉｇｉｔａｌ  Ｈｉｅｒａｒｃｈｙ）が国際的に標準化されている。また、米国においては、ＳＤＨに相当するＳＯＮＥＴ（ＳｙｎｃｈｒｏｎｏｕｓＯｐｔｉｃａｌ  Ｎｅｔｗｏｒｋ）が標準化されている。
【０００３】
以下の説明においては、ＳＤＨとＳＯＮＥＴで対応関係にある用語については、例えば、“ＳＴＭ／ＯＣ−ｎ”、‘ＡＵ／ＳＴＳ’、‘ＶＣ／ＶＴ’のようにスラッシュの左側にＳＤＨ関連用語を右側にＳＯＮＥＴ用語を表記するものとする。
ネットワークの信頼性及び運用保守性の向上を図る技術として従来よりＢＬＳＲ  （Ｂｉｄｉｒｅｃｔｉｏｎａｌ  Ｌｉｎｅ  Ｓｗｉｔｃｈｅｄ  Ｒｉｎｇ）冗長方式が知られている。
【０００４】
ＢＬＳＲ冗長方式では、ノードの追加時または削除時においてリングプロテクション情報の更新処理が必要であり、このような更新処理を高次のリングネットワークの各ノードに設定されている情報に基づいて自動的に行うことが可能なリング伝送路におけるプロテクション情報管理システムがある（例えば、特許文献１参照。）。
【０００５】
また、ＢＬＳＲ冗長方式は、ＳＤＨ／ＳＯＮＥＴにおける高次の同期網信号であるＡＵ／ＳＴＳ信号の冗長に関するものであるため、ＢＬＳＲ冗長方式を用いたリングネットワークに使用する多重化装置（以下、ノードと称することがある。）には、従来よりＡＵ／ＳＴＳ信号のクロスコネクト機能（以下、高次クロスコネクト機能と称することがある。）を具備するものが開発されている。また、最近では、ＡＵ／ＳＴＳ信号に多重化されている低次の信号であるＶＣ／ＶＴ信号のクロスコネクト機能（以下、低次クロスコネクト機能と称することがある。）も具備する装置も開発されている。
【０００６】
まず、高次クロスコネクト機能のみを有する多重化装置をリングネットワークにおいて追加及び削除する手順について図９を参照して説明する。
同図（１）は、初期状態を示したものであり、５つの伝送装置（ノード）Ａ〜Ｅが図示の如く現用回線Ｗ及び予備回線Ｐを有する伝送路Ｔによってリング状に接続されており、高次のリングネットワークを構成している。また、図中の太線矢印はＡＵ／ＳＴＳ信号の流れを示したものである。
【０００７】
このリングネットワークにおけるノードＡ−Ｅ間にノードＦを追加する場合、ノードＦを追加するためにノードＡ−Ｅ間の伝送路を切り離すと、ＢＬＳＲ冗長方式に従って、ループバック制御が行われる。この場合、ノードＡ−Ｅ間が現用回線Ｗから予備回線Ｐに切り替わるため、同図（１）ではノードＢ−Ａ−Ｅを通っていたＡＵ／ＳＴＳ信号は、同図（２）では、ノードＢ−Ａ−Ｂ−Ｃ−Ｄ−Ｅを通るようになる。
【０００８】
この状態で、ノードＡ−Ｅ間の伝送路にノードＦを挿入し、物理的な接続を完了させた後、同図（３）に示すようにループバック制御を解除すると、ノードＦの追加が完了する。
リングネットワークからのノード削除の手順は、上記の逆の手順を辿ればよく、同図（３）の状態でノードＦを伝送路から物理的に切り離すと、ＢＬＳＲ冗長方式に従って同図（２）のようなループバック制御が行われ、ノードＦを削除した後にノードＡ−Ｅ間の伝送路を接続した上でループバック制御を解除すれば、同図（１）の状態を得ることができる。
【０００９】
このように、高次クロスコネクト機能のみを有する多重化装置についてはリングネットワークにおけるノード追加及び削除をサービス断無しに行うことができる。
なお、同図（１）〜（３）に示した各状態において、ノードＦに注目すると、ＡＵ／ＳＴＳ信号がスルークロスコネクトされている状態であることが分かる。
【００１０】
リングネットワークでは２つのＳＴＭ／ＯＣ−ｎを１つのペアとし、一方のＳＴＭ／ＯＣ−ｎ入力のあるチャンネルからもう一方のＳＴＭ／ＯＣ−ｎ出力の同チャンネルにクロスコネクトすることをスルークロスコネクトと呼んでいる。
すなわち、同図（１）〜（３）において追加または削除の対象であるノードＦには、ノード追加またはノード削除の過渡期はＡＵ／ＳＴＳ信号のスルークロスコネクトが設定されている。
【００１１】
これは、ノードＦの追加時は、サービス中である既存のノードＡ及びＥが伝送している信号に対して、追加対象のノードＦは何ら影響を与えないスルー状態であることが必要なためである。また、ノードＦの削除時は、ノードＦでアド（ａｄｄ）／ドロップ（ｄｒｏｐ）していた信号はサービス終了となるが、それ以外の信号には何ら影響を与えないスルー状態であることが必要なためである。
【００１２】
このように、従来のＢＬＳＲ多重化装置は、ノード追加時はＡＵ／ＳＴＳ信号のスルークロスコネクトを設定することにより、ノード削除時はサービス終了となるアド／ドロップしていた信号以外のスルークロスコネクト残すことによりスルー状態を作っていた。
【００１３】
【特許文献１】
特開平８−２３３４２号公報（要約、図４）
【００１４】
【発明が解決しようとする課題】
次に、高次のＡＵ／ＳＴＳ信号のクロスコネクト機能と共に低次のＶＣ／ＶＴ信号のクロスコネクト機能も具備している多重化装置、すなわち高次クロスコネクト機能と低次クロスコネクト機能の双方を具備する多重化装置を追加及び削除する手順について説明する。
【００１５】
ノードＦがこのような多重化装置である場合、上記のノード追加手順によってノードＦをリングネットワークに追加した後、ＶＣ／ＶＴ信号をアド／ドロップするためには、同図（４）に示す状態を作り出す必要がある。
この場合、ノードＦでは、ＡＵ／ＳＴＳ信号のクロスコネクトの設定を一旦削除した後にＶＣ／ＶＴ信号のクロスコネクトの設定を行う必要がある。
【００１６】
従って、高次クロスコネクト機能と低次クロスコネクト機能の双方を具備する多重化装置を追加する場合には、同図（３）の状態から同図（４）の状態に変更するときに、サービス断状態が不可避であった。
また、同図（４）の状態からノードＦを削除する場合についても、同図の状態から、直接ノードＦを伝送路から削除しようとするとスケルチによる信号断が生じる。
【００１７】
スケルチとは、誤通信を防止するために、故障を検出しているノードからＡＩＳ（Ａｌａｒｍ  Ｉｎｄｉｃａｔｉｏｎ  Ｓｉｇｎａｌ）信号を挿入する操作によってパスをつぶすことであり、信号がどのノードからアドされ、どのノードでドロップされるかを示すスケルチ情報をスケルチテーブルで管理することによって実現されている。
【００１８】
同図（１）の状態におけるスケルチテーブルでは、ノードＢ−Ｅ間で接続されていると管理されているが、同図（４）の状態におけるスケルチテーブルでは、ノードＢ−Ｆ間とノードＦ−Ｅ間のように２つの接続があるとして管理されている。すなわち、同図（４）の状態では、ノードＢ−Ｅ間の接続は管理されていない。
【００１９】
この状態から、ノードＦと伝送路Ｔとを切断し、同図（２）のループバック状態になると、本来存在しないノードＢ−Ｅ間の接続が生じるが、スケルチテーブルに基づく認識により、ノードＢの信号はノードＦに到達せず、ノードＥの信号もノードＦに到達しないと判断されるため、ノードＡ及びＥがそれぞれＡＩＳ信号を挿入することによって、このループバックのパスはスケルチされて信号断になる。
【００２０】
また、上記のスケルチを回避するためには、同図（４）の状態から同図（３）に示す様なＡＵ／ＳＴＳ信号のスルークロスコネクト状態を作り出した後にノードＦを削除すればよいが、このためには、ＶＣ／ＶＴ信号のクロスコネクトの設定を一旦削除した後にＡＵ／ＳＴＳ信号のクロスコネクトの設定を行う必要がある。この場合にも、サービス断が生じてしまう。
【００２１】
このように、ＢＬＳＲ冗長方式を用いた高次のリングネットワークにおいて、従来の手順では、高次クロスコネクト機能と低次クロスコネクト機能の双方を具備する多重化装置を、高次クロスコネクト機能のみを有する多重化装置の場合と同様の手順でサービス断無しに追加及び削除することはできなかった。
【００２２】
従って、本発明は、高次クロスコネクト機能と低次クロスコネクト機能の双方を具備する多重化装置及びその使用方法、すなわちサービス断を伴うことなくリングネットワークにおいて該多重化装置を追加及び削除する方法を提供することを目的とする。
【００２３】
【課題を解決するための手段】
上記の目的を達成するため、本発明に係る多重化装置は、高次の同期網信号を任意の高次入力チャネルから入力して任意の高次出力チャネルにクロスコネクトする高次クロスコネクト部と、該高次の同期網信号に多重化可能な低次の信号を任意の低次入力チャネルから入力して任意の低次出力チャネルにクロスコネクトする低次クロスコネクト部と、を備え、該高次出力チャネルの一部と該低次入力チャネルの一部とを接続すると共に、該低次出力チャネルの一部と該高次入力チャネルの一部とを接続したことを特徴としている。
【００２４】
すなわち、本発明に係る多重化装置においては、高次クロスコネクト部が高次の同期網信号（例えば、ＳＤＨにおけるＡＵ信号やＳＯＮＥＴにおけるＳＴＳ信号）を任意の高次入力チャネルから入力して任意の高次出力チャネルにクロスコネクトする。
また、低次クロスコネクト部が該高次の同期網信号に多重化可能な低次の信号（例えば、ＳＤＨにおけるＶＣ信号やＳＯＮＥＴにおけるＶＴ信号）を任意の低次入力チャネルから入力して任意の低次出力チャネルにクロスコネクトする。
【００２５】
そして、該高次出力チャネルの一部と該低次入力チャネルの一部とを接続すると共に、該低次出力チャネルの一部と該高次入力チャネルの一部とを接続している。
これにより、高次クロスコネクト部及び低次クロスコネクト部においては、それぞれ高次のスルークロスコネクト及び低次のスルークロスコネクトを設定することができる。特に、低次クロスコネクト部においては、高次出力チャネル及び高次入力チャネルにそれぞれ接続されている低次入力チャネルと低次出力チャネルとの間にも低次のスルークロスコネクトを設定することができる。
【００２６】
また、高次クロスコネクト部は、低次出力チャネルに接続されている高次入力チャネルから任意の高次出力チャネルにクロスコネクトすることができると共に、低次入力チャネルに接続されている高次出力チャネルへ任意の高次入力チャネルからクロスコネクトすることができる。
【００２７】
これにより、該多重化装置をリングネットワーク等に追加する場合には、従来と同様の手順により高次のスルークロスコネクトを設定した状態で該リングネットワークに追加した後、高次クロスコネクト部及び低次クロスコネクト部のクロスコネクト設定を切り替えることによって、サービス断を伴うことなく高次のスルークロスコネクトから低次のスルークロスコネクトに切り替えることができる。
【００２８】
また、該多重化装置をリングネットワーク等から削除する場合には、高次クロスコネクト部のクロスコネクト設定を切り替えることによって、サービス断を伴うことなく低次のスルークロスコネクトから高次のスルークロスコネクトに切り替えた後、従来と同様の手順により該多重化装置をリングネットワーク等から削除することが出来る。
【００２９】
このように、リングネットワーク等において、高次クロスコネクト機能と低次クロスコネクト機能の双方を具備する該多重化装置を、サービス断を伴うことなく追加及び削除することが可能となる。
また、上記の多重化装置を高次のリングネットワークへ追加するときには、該高次クロスコネクト部が第１の高次入力チャネルと第１の高次出力チャネルとをスルークロスコネクトした状態で該リングネットワークに挿入した後、該高次クロスコネクト部が、該第１の高次入力チャネルからの信号を該第１の高次出力チャネルとは別の第２の高次出力チャネルにも分岐するようにクロスコネクトし、該低次クロスコネクト部が、該第２の高次出力チャネルに接続された低次入力チャネルと該第１の高次入力チャネルとは別の第２の高次入力チャネルに接続された低次出力チャネルとをスルークロスコネクトし、さらに該高次クロスコネクト部が、該第１の高次出力チャネルに対する入力側を該第１の高次入力チャネルから該第２の高次入力チャネルに切り替えればよい。
【００３０】
すなわち、該多重化装置をリングネットワークに追加する場合の第１の状態では、該高次クロスコネクト部が第１の高次入力チャネルと第１の高次出力チャネルとをスルークロスコネクトしておき、該リングネットワークに該多重化装置を挿入した後は、第２の状態として該高次クロスコネクト部が該第１の高次入力チャネルからの信号を該第１の高次出力チャネルとは別の第２の高次出力チャネルにも分岐するようにクロスコネクトする。
【００３１】
次に、第３の状態として該低次クロスコネクト部が該第２の高次出力チャネルに接続された低次入力チャネルと該第１の高次入力チャネルとは別の第２の高次入力チャネルに接続された低次出力チャネルとをスルークロスコネクトし、さらに、第４の状態として該高次クロスコネクト部が該第１の高次出力チャネルに対する入力側を該第１の高次入力チャネルから該第２の高次入力チャネルに切り替える。
【００３２】
これにより、高次のスルークロスコネクトが設定された第１の状態で多重化装置をリングネットワークに挿入した後、第２の状態から第４の状態まで変化させることによって、高次のスルークロスコネクトを低次のスルークロスコネクトに、サービス断無しに切り替えることが可能になり、以ってリングネットワーク等において該多重化装置を、サービス断を伴うことなく追加することが可能となる。
【００３３】
また、上記の多重化装置を該リングネットワークから削除するときには、該高次クロスコネクト部が該第１の高次出力チャネルに対するクロスコネクトの入力側を該第２の高次入力チャネルから該第１の高次入力チャネルに切り替えてスルークロスコネクトすればよい。
【００３４】
すなわち、該リングネットワークから削除するときには、該第１の高次入力チャネルと該第１の高次出力チャネルとをスルークロスコネクトするために、該高次クロスコネクト部が該第１の高次出力チャネルに対するクロスコネクトの入力側を該第２の高次入力チャネルから該第１の高次入力チャネルに切り替える。
【００３５】
これにより、低次のスルークロスコネクトを高次のスルークロスコネクトにサービス断無しに切り替えることが可能になり、以ってリングネットワーク等において該多重化装置を、サービス断を伴うことなく削除することが可能となる。
また、該高次クロスコネクト部が、該第１の高次入力チャネルと該第２の高次出力チャネルとのクロスコネクトを削除してもよく、該低次クロスコネクト部が、該低次入力チャネルと該低次出力チャネルとのスルークロスコネクトを削除してもよい。
【００３６】
さらに、上記のリングネットワークはＢＬＳＲリングネットワークであればよい。
また、上記の多重化装置の使用方法としてのリングネットワークへの多重化装置追加方法は、該高次クロスコネクト部が第１の高次入力チャネルと第１の高次出力チャネルとをスルークロスコネクトした状態でリングネットワークに接続する第１ステップと、該第１ステップ実行後、該高次クロスコネクト部が該第１の高次入力チャネルからの信号を該第１の高次出力チャネルとは別の第２の高次出力チャネルにも分岐するようにクロスコネクトする第２ステップと、該第２ステップ実行後、該低次クロスコネクト部が該第２の高次出力チャネルに接続された低次入力チャネルと該第１の高次入力チャネルとは別の第２の高次入力チャネルに接続された低次出力チャネルとをスルークロスコネクトする第３ステップと、該第３ステップ実行後、該高次クロスコネクト部が該第１の高次出力チャネルに対する入力側を該第１の高次入力チャネルから該第２の高次入力チャネルに切り替える第４ステップと、を有している。
【００３７】
すなわち、上記の多重化装置をリングネットワークに追加する場合、第１ステップでは、該高次クロスコネクト部が第１の高次入力チャネルと第１の高次出力チャネルとをスルークロスコネクトした状態で多重化装置をリングネットワークに接続する。
【００３８】
次に、第２ステップでは、該高次クロスコネクト部が該第１の高次入力チャネルからの信号を該第１の高次出力チャネルとは別の第２の高次出力チャネルにも分岐するようにクロスコネクトし、さらに第３ステップでは、該低次クロスコネクト部が該第２の高次出力チャネルに接続された低次入力チャネルと該第１の高次入力チャネルとは別の第２の高次入力チャネルに接続された低次出力チャネルとをスルークロスコネクトし、最終的に第４ステップでは、該高次クロスコネクト部が該第１の高次出力チャネルに対する入力側を該第１の高次入力チャネルから該第２の高次入力チャネルに切り替える。
【００３９】
これにより、第１ステップにおいて従来と同様の手順により高次のスルークロスコネクトが設定された状態で多重化装置をリングネットワークに挿入した後、第２ステップ〜第４ステップにおいて高次のスルークロスコネクトを低次のスルークロスコネクトにサービス断無しに切り替えることが可能になり、以ってリングネットワーク等において該多重化装置を、サービス断を伴うことなく追加することが可能となる。
【００４０】
上記の第１ステップは、該多重化装置の初期化を行うステップを含んでもよい。
また、上記の第１ステップの前に、該ネットワークのループバック制御を行うステップをさらに有してもよく、該第１ステップが、該多重化装置を物理的に該リングネットワークに接続するステップと、該ループバック制御を解除するステップと、該多重化装置にノードＩＤを設定するステップと、該リングネットワークのリングトポロジーを再構築するステップとを含んでもよい。
【００４１】
また、上記の多重化装置の使用方法としてのリングネットワークからの多重化装置削除方法は、上記の方法で該リングネットワークに追加された該多重化装置を削除するときには、該高次クロスコネクト部が該第１の高次出力チャネルに対するクロスコネクトの入力側を該第２の高次入力チャネルから該第１の高次入力チャネルに切り替える削除準備ステップを有する。
【００４２】
すなわち、該多重化装置を該リングネットワークから削除する前の削除準備ステップでは、該第１の高次入力チャネルと該第１の高次出力チャネルとをスルークロスコネクトするために、該高次クロスコネクト部が該第１の高次出力チャネルに対するクロスコネクトの入力側を該第２の高次入力チャネルから該第１の高次入力チャネルに切り替える。
【００４３】
これにより、低次のスルークロスコネクトを高次のスルークロスコネクトにサービス断無しに切り替えることが可能になり、以ってリングネットワーク等において該多重化装置を、サービス断を伴うことなく削除することが可能となる。
また、上記の多重化装置削除方法は、該削除準備ステップ実行後、該多重化装置のノードＩＤを削除するステップと、該リングネットワークのリングトポロジーを再構築するステップと、該リングネットワークのループバック制御を行うステップと、該多重化装置を物理的に削除するステップと、該ループバック制御を解除するステップと、をさらに有してもよい。
【００４４】
さらに、上記の多重化装置削除方法は、該削除準備ステップ実行後、該高次クロスコネクト部が、該第１の高次入力チャネルと該第２の高次出力チャネルとのクロスコネクトを削除するステップと、該低次クロスコネクト部が、該低次入力チャネルと該低次出力チャネルとのスルークロスコネクトを削除するステップと、をさらに有してもよい。
【００４５】
【発明の実施の形態】
本発明の実施例を、（１）リングネットワークにおけるノード追加の概要手順、（２）リングネットワークからのノード削除の概要手順、及び（３）追加／削除対象ノードの詳細な構成の順に説明する。
【００４６】
（１）リングネットワークにおけるノード追加の概要手順
本発明に係る多重化装置をリングネットワークに追加する場合の概要手順を図１及び２を用いて以下に説明する。図１（１）に示した初期状態ＳＡ１は、図９（１）に示した従来例における初期状態に相当し、５つのノードＡ〜Ｅが図示の如く現用回線Ｗ及び予備回線Ｐを有する伝送路Ｔによってリング状に接続されており、リングネットワークを構成している。
【００４７】
まず、このリングネットワークにおけるノードＡ−Ｅ間に本発明に係る多重化装置であるノードＦを追加する手順を説明する。なお、その他のノードＡ−Ｅは本発明に係る多重化装置である必要は無い。
また、図１及び２においては、ノードＦ内に高次クロスコネクト部及び低次クロスコネクト部が図示されていないが、以下の説明において、ＡＵ／ＳＴＳ信号に関するクロスコネクトの設定は高次クロスコネクト部が行い、ＶＣ／ＶＴ信号に関するクロスコネクトの設定は低次クロスコネクト部が行うものとする。
【００４８】
状態ＳＡ１：図１（１）
まず、図１（１）に示す如く、追加対象ノードＦの初期化を行う。この時点で、ノードＦには高次のクロスコネクトも低次のクロスコネクトも設定されていない。
状態ＳＡ２：図１（２）
次に、図９（２）と同様なループバック制御を行い、さらにノードＦ内の太線で示す如く、追加対象ノードＦにＡＵ／ＳＴＳ信号のスルークロスコネクトである高次スルークロスコネクトを設定する。
【００４９】
状態ＳＡ３：図１（３）
次に、追加対象ノードＦを既存リングネットワークに接続する。すなわち、追加対象ノードＦを物理的に追加する。
状態ＳＡ４：図１（４）
さらに、ループバック制御を解除し、追加対象ノードＦにノードＩＤを設定し、リングトポロジーを再構築する。状態ＳＡ４における以上の処理は、高次クロスコネクト機能のみを有する多重化装置をリングネットワークに追加する従来の処理手順と同様であり、これにより追加対象ノードＦが論理的に追加される。
【００５０】
状態ＳＡ５：図２（１）
追加したノードＦ内で、高次クロスコネクト部がＡＵ／ＳＴＳ信号をブリッジする。ブリッジとは、高次クロスコネクト部においてスルークロスコネクトされているＡＵ／ＳＴＳ信号を別の出力チャネルにも分岐して出力することであり、同図では、ノードＦ中のＡＵ／ＳＴＳ信号が枝分かれしている様子が示されている。
【００５１】
状態ＳＡ６：図２（２）
追加したノードＦ内で、低次クロスコネクト部がＶＣ／ＶＴ信号のスルークロスコネクトである低次スルークロスコネクトを追加する。同図のノードＦ中の枝分かれしたＡＵ／ＳＴＳ信号（太線）の先に描かれた細線がＶＣ／ＶＴ信号のスルークロスコネクトを示している。
【００５２】
状態ＳＡ７：図２（３）
追加したノードＦ内で、高次クロスコネクト部がＡＵ／ＳＴＳ信号をロールする。ロールとは、既存のクロスコネクトの入力側チャネルを別のチャネルに切り替えることであり、これにより、高次スルークロスコネクト状態（同図（２）に示した状態ＳＡ６のノードＦ参照）から、低次スルークロスコネクト状態（同図（３）に示した状態ＳＡ７のノードＦ参照）に切り替わる。
【００５３】
（２）リングネットワークからのノード削除の概要手順
次に、ノード削除について、上記の図２（３）に相当する状態ＳＡ７を初期状態として、ノードＦを削除する場合の概要手順を図３を用いて以下に説明する。この場合、高次スルークロスコネクトを作り出した後にノードＦを削除する必要があるため、次のような手順を踏む。
【００５４】
状態ＳＤ１：図３（１）
同図はノード削除時における初期状態を示したものであり、図２（３）に相当している。
状態ＳＤ２：図３（２）
削除対象のノードＦ内で高次クロスコネクト部がＡＵ／ＳＴＳ信号をロールする。これにより、低次スルークロスコネクト状態（同図（１）に示した初期状態ＳＤ１のノードＦ参照）から、高次スルークロスコネクト状態（同図（２）に示した状態ＳＤ２のノードＦ参照）に切り替わる。
【００５５】
状態ＳＤ３：図３（３）
削除対象のノードＦ内で、高次クロスコネクト部が分岐しているＡＵ／ＳＴＳ信号のクロスコネクトと低次クロスコネクト部が設定していた低次スルークロスコネクトの設定を削除する。これにより、図示の如くノードＦ内に高次スルークロスコネクトのみが残る。
【００５６】
状態ＳＤ４：図３（４）
削除対象のノードＦのノードＩＤを削除し、リングトポロジーを再構築する。これにより、対象ノードＦを論理的に削除することになる。さらに、ループバック制御を行う。
【００５７】
状態ＳＤ５：図３（５）
削除対象のノードＦを既存リングネットワークから物理的に削除する。
状態ＳＤ６：図３（６）
ループバック制御を解除する。
【００５８】
なお、状態ＳＤ４〜ＳＤ６の処理は、高次クロスコネクト機能のみを有する多重化装置をリングネットワークから削除する従来の処理手順と同様である。
（３）追加／削除対象ノードの詳細な構成
次に、上記（１）及び（２）で説明したノード追加及び削除の概要手順において、削除対象であるノードＦに注目し、その詳細な構成および各種の状態について説明する。
【００５９】
図４は、図１〜３におけるノードＦの詳細な構成を示したものであり、入力信号の光電気変換を行う光電気変換部（Ｏ／Ｅ）１１及び２１、ＳＴＭ／ＯＣ−ｎ信号の高次終端を行ってＡＵ／ＳＴＳ信号を出力するＳＴＭ／ＯＣ−ｎ終端部１２及び２２、入力されたＡＵ／ＳＴＳ信号１チャネルをｍチャネルに分配する１：ｍＡＵ／ＳＴＳディストリビュータ３１＿１〜３１＿３．．．１３１＿１〜１３１＿３、入力されたｍチャネルのＡＵ／ＳＴＳ信号から１チャネルのみを選択して所定のチャネルに出力するｍ：１ＡＵ／ＳＴＳセレクタ４０＿１〜４０＿ｍ、ＡＵ／ＳＴＳ信号からＳＴＭ／ＯＣ−ｎの生成を行うＳＴＭ／ＯＣ−ｎ生成部１３及び２３、電気光変換を行って信号を出力する電気光変換部（Ｅ／Ｏ）１４及び２４を備えている。
【００６０】
また、ｍ：１  ＡＵ／ＳＴＳセレクタ４０＿１〜４０＿ｍには、図示の如く、ＡＵ／ＳＴＳ信号の終端（高次→低次変換）を行ってＶＣ／ＶＴ信号を出力するＡＵ／ＳＴＳ終端部５１〜５３．．．１５１が接続されている。さらに、入力されたＶＣ／ＶＴ信号１チャネルをｘチャネルに分配する１：ｘＶＣ／ＶＴディストリビュータ６１＿１〜６１＿３．．．１６１＿１〜１６１＿３、入力されたｘチャネルのＶＣ／ＶＴ信号から１チャネルのみを選択して所定のチャネルに出力するｘ：１ＶＣ／ＶＴセレクタ７０＿１〜７０＿ｘ、ＶＣ／ＶＴ信号からＡＵ／ＳＴＳ信号の生成（低次→高次変換）を行うＡＵ／ＳＴＳ生成部８１，８２，．．．，１８１が図示の如く接続されている。
【００６１】
この内、１：ｍ  ＡＵ／ＳＴＳディストリビュータ３１＿１〜３１＿３．．．１３１＿１〜１３１＿３及びｍ：１  ＡＵ／ＳＴＳセレクタ４０＿１〜４０＿ｍは、ｍ本の入力に対し、ｍ本の出力を有する高次クロスコネクト部（Ｈｉｇｈｅｒ  Ｏｒｄｅｒ  Ｃｒｏｓｓ  Ｃｏｎｎｅｃｔ：  以下、ＨＯＸＣと称することがある。）１００を構成しており、ＳＤＨ／ＳＯＮＥＴの高次の同期網信号であるＡＵ／ＳＴＳ信号を任意の高次入力チャネルから入力して任意の高次出力チャネルにクロスコネクトする。
【００６２】
また、図示の如く、１：ｍ  ＡＵ／ＳＴＳディストリビュータ３１＿１の出力側は、ｍ：１  ＡＵ／ＳＴＳセレクタ４０＿１〜４０＿ｍのそれぞれの入力側に接続されていることから、例えば、ｍ：１ＡＵ／ＳＴＳセレクタ４０＿１及び４０＿ｍが共に１：ｍ  ＡＵ／ＳＴＳディストリビュータ３１＿１の出力側に接続された入力チャネルを選択すれば、高次クロスコネクト部１００としては、１つの高次入力チャネルからの入力信号を複数の高次出力チャネルに分岐して出力することになり、ブリッジ機能を実現している。
【００６３】
さらに、上記のｍ：１  ＡＵ／ＳＴＳセレクタ４０＿１が、１：ｍ  ＡＵ／ＳＴＳディストリビュータ３１＿１の出力側に接続された入力チャネルを選択している状態から例えば１：ｍＡＵ／ＳＴＳディストリビュータ１３１＿３の出力側に接続された入力チャネルを選択するように変更すれば、高次クロスコネクトＨＯＸＣとしては１つの高次出力チャネルにクロスコネクトされた高次入力チャネルを別の高次入力チャネルに切り替えることになり、ロール設定機能を実現している。
【００６４】
また、１：ｘ  ＶＣ／ＶＴディストリビュータ６１＿１〜６１＿３．．．１６１＿１〜１６１＿３及びｘ：１  ＶＣ／ＶＴセレクタ７０＿１〜７０＿ｘは、ｘ本の入力に対し、ｘ本の出力を有する低次クロスコネクト部（Ｌｏｗｅｒ  Ｏｒｄｅｒ  Ｃｒｏｓｓ  Ｃｏｎｎｅｃｔ：  以下、ＬＯＸＣと称することがある。）２００を構成しており、高次の同期網信号（ＡＵ／ＳＴＳ信号）に多重化可能な低次の信号であるＶＣ／ＶＴ信号を任意の低次入力チャネルから入力して任意の低次出力チャネルにクロスコネクトする。
【００６５】
また、図示の如く、低次クロスコネクト部２００は、高次クロスコネクト部１００の高次出力チャネルの一部に接続された低次入力チャネル（１：ｘ  ＶＣ／ＶＴディストリビュータ６１＿１〜６１＿３．．．１６１＿１〜１６１＿３の入力側）と高次クロスコネクト部１００の高次入力チャネルの一部に接続された低次出力チャネル（ＡＵ／ＳＴＳ生成部８１，８２，．．．，１８１の出力側）を有している。
【００６６】
ノードＦを追加する場合の図１（４）及び図２（１）〜（３）におけるノードＦの各状態について、図５〜８を用いて以下に説明する。なお、図５〜８の構成は図４と同様である。
高次スルークロスコネクトのみの状態：図５
まず、図５は図１（４）の状態ＳＡ４におけるノードＦの詳細を示したものである。この時点では、例えば、太線矢印で示す如く、光伝送路から光電気変換部１１に入力された信号は、ＳＴＭ／ＯＣ−ｎ終端部１２及び１：ｍＡＵ／ＳＴＳディストリビュータ３１＿１を通り、ｍ：１  ＡＵ／ＳＴＳセレクタ４０＿１をスルー通過し、ＳＴＭ／ＯＣ−ｎ生成部１３及び電気光変換部１４から光伝送路に出力されている。
【００６７】
すなわち、ＨＯＸＣ  １００では、ＡＵ／ＳＴＳ信号をスルークロスコネクトしている。
ＡＵ／ＳＴＳ信号をブリッジした状態：図６
次に、図６は、図２（１）の状態ＳＡ５におけるノードＦの詳細を示したものである。この時点では、上記の図５で説明したスルークロスコネクトの他に、例えば、１：ｍＡＵ／ＳＴＳディストリビュータ３１＿１からの信号は、ｍ：１ＡＵ／ＳＴＳセレクタ４０＿ｍで図示の如くクロスコネクトされ、ＡＵ／ＳＴＳ終端部５１に入力され、さらに１：ｘ  ＶＣ／ＶＴディストリビュータ６１＿１を通り、ｘ：１ＡＵ／ＳＴＳセレクタ７０＿ｘに入力されている。
【００６８】
これは、ｍ：１  ＡＵ／ＳＴＳセレクタ４０＿ｍの設定により実現可能である。
すなわち、ＨＯＸＣ  １００では、ＡＵ／ＳＴＳ信号をブリッジしている。
低次スルークロスコネクトを追加した状態：図７
図７は、図２（２）の状態ＳＡ６におけるノードＦの詳細を示したものである。この時点で、例えば、ｘ：１  ＡＵ／ＳＴＳセレクタ７０＿ｘをスルークロスコネクトに設定するため、上記図６の状態で１：ｘＶＣ／ＶＴディストリビュータ６１＿１を通り、ｘ：１  ＡＵ／ＳＴＳセレクタ７０＿ｘに入力された信号は、ＡＵ／ＳＴＳ生成部８１及び１：ｍ  ＡＵ／ＳＴＳディストリビュータ１３１＿３を経由してｍ：１ＡＵ／ＳＴＳセレクタ４０＿１に入力される。
【００６９】
すなわち、ＬＯＸＣ  ２００では、ＶＣ／ＶＴ信号をスルークロスコネクトしている。なお、この時点では、ＨＯＸＣ１００における上記の高次スルークロスコネクトに変更は無い。
低次スルークロスコネクトのみの状態：図８
図８は、図２（３）の状態ＳＡ７におけるノードＦの詳細を示したものである。この時点では、例えば、ｍ：１  ＡＵ／ＳＴＳセレクタ４０＿１の入力側について、１：ｍ  ＡＵ／ＳＴＳディストリビュータ３１＿１からの信号ではなく、１：ｍＡＵ／ＳＴＳディストリビュータ１３１＿３からの信号を選択するように設定が変更される。
【００７０】
すなわち、ＨＯＸＣ  １００では、ＡＵ／ＳＴＳ信号をロールしている。これにより、ＨＯＸＣ１００における上記の高次スルークロスコネクトから、ＬＯＸＣ  ２００における低次スルークロスコネクトに切り替わる。
上述の如く、ノードＦにおいては、図５の状態ＳＡ４から図８の状態ＳＡ７までの変更をｍ：１  ＡＵ／ＳＴＳセレクタ４０＿１〜４０＿ｍ及びｘ：１  ＶＴ／ＶＴセレクタ７０＿１〜７０＿ｘの設定の変更のみで行うことが可能である。
【００７１】
また、ノードＦを削除する場合の図３（１）〜（３）の各図における削除対象ノードＦの状態は、それぞれ、図８、図７、及び図５に示した状態と同様であるため、ｍ：１ＡＵ／ＳＴＳセレクタ４０＿１〜４０＿ｍ及びｘ：１  ＶＴ／ＶＴセレクタ７０＿１〜７０＿ｘの設定の変更のみで各状態を作り出すことが可能である。
【００７２】
従って、従来のように、ノード追加の際に、ＡＵ／ＳＴＳ信号のクロスコネクトの設定を一旦削除した後にＶＣ／ＶＴ信号のクロスコネクトを設定したり、ノード削除の際に、ＶＣ／ＶＴ信号のクロスコネクトの設定を一旦削除した後にＡＵ／ＳＴＳ信号のクロスコネクトを設定する必要がなくなり、サービス断状態を回避することが可能になる。
（付記１）
高次の同期網信号を任意の高次入力チャネルから入力して任意の高次出力チャネルにクロスコネクトする高次クロスコネクト部と、
該高次の同期網信号に多重化可能な低次の信号を任意の低次入力チャネルから入力して任意の低次出力チャネルにクロスコネクトする低次クロスコネクト部と、
を備え、
該高次出力チャネルの一部と該低次入力チャネルの一部とを接続すると共に、該低次出力チャネルの一部と該高次入力チャネルの一部とを接続したことを特徴とする多重化装置。
（付記２）付記１において、
該高次の同期網信号がＳＤＨにおけるＡＵ信号又はＳＯＮＥＴにおけるＳＴＳ信号であることを特徴とする多重化装置。
（付記３）付記１において、
該低次の信号が、ＳＤＨにおけるＶＣ信号またはＳＯＮＥＴにおけるＶＴ信号であることを特徴とする多重化装置。
（付記４）付記１において、
高次のリングネットワークへ追加するときには、該高次クロスコネクト部が第１の高次入力チャネルと第１の高次出力チャネルとをスルークロスコネクトした状態で該リングネットワークに挿入した後、該高次クロスコネクト部が、該第１の高次入力チャネルからの信号を該第１の高次出力チャネルとは別の第２の高次出力チャネルにも分岐するようにクロスコネクトし、該低次クロスコネクト部が、該第２の高次出力チャネルに接続された低次入力チャネルと該第１の高次入力チャネルとは別の第２の高次入力チャネルに接続された低次出力チャネルとをスルークロスコネクトし、さらに該高次クロスコネクト部が、該第１の高次出力チャネルに対する入力側を該第１の高次入力チャネルから該第２の高次入力チャネルに切り替えることを特徴とした多重化装置。
（付記５）付記４において、
該リングネットワークから削除するときには、該高次クロスコネクト部が該第１の高次出力チャネルに対するクロスコネクトの入力側を該第２の高次入力チャネルから該第１の高次入力チャネルに切り替えてスルークロスコネクトすることを特徴とした多重化装置。
（付記６）付記５において、
該高次クロスコネクト部が、該第１の高次入力チャネルと該第２の高次出力チャネルとのクロスコネクトを削除し、該低次クロスコネクト部が、該低次入力チャネルと該低次出力チャネルとのスルークロスコネクトを削除することを特徴とした多重化装置。
（付記７）付記４において、
該リングネットワークがＢＬＳＲリングネットワークであることを特徴とした多重化装置。
（付記８）
付記１に記載した多重化装置を、該高次クロスコネクト部が第１の高次入力チャネルと第１の高次出力チャネルとをスルークロスコネクトした状態でリングネットワークに接続する第１ステップと、
該第１ステップ実行後、該高次クロスコネクト部が該第１の高次入力チャネルからの信号を該第１の高次出力チャネルとは別の第２の高次出力チャネルにも分岐するようにクロスコネクトする第２ステップと、
該第２ステップ実行後、該低次クロスコネクト部が該第２の高次出力チャネルに接続された低次入力チャネルと該第１の高次入力チャネルとは別の第２の高次入力チャネルに接続された低次出力チャネルとをスルークロスコネクトする第３ステップと、
該第３ステップ実行後、該高次クロスコネクト部が該第１の高次出力チャネルに対する入力側を該第１の高次入力チャネルから該第２の高次入力チャネルに切り替える第４ステップと、
を有することを特徴としたリングネットワークへの多重化装置追加方法。
（付記９）付記８において、
該第１ステップが、該多重化装置の初期化を行うステップを含むことを特徴としたリングネットワークへの多重化装置追加方法。
（付記１０）付記８において、
該第１ステップの前に、該ネットワークのループバック制御を行うステップをさらに有し、該第１ステップが、該多重化装置を物理的に該リングネットワークに接続するステップと、該ループバック制御を解除するステップと、該多重化装置にノードＩＤを設定するステップと、該リングネットワークのリングトポロジーを再構築するステップとを含むことを特徴としたリングネットワークへの多重化装置追加方法。
（付記１１）
付記８に記載した方法で該リングネットワークに追加された該多重化装置を削除するときには、該高次クロスコネクト部が該第１の高次出力チャネルに対するクロスコネクトの入力側を該第２の高次入力チャネルから該第１の高次入力チャネルに切り替える削除準備ステップを有することを特徴としたリングネットワークからの多重化装置削除方法。
（付記１２）付記１１において、
該削除準備ステップ実行後、該多重化装置のノードＩＤを削除するステップと、該リングネットワークのリングトポロジーを再構築するステップと、該リングネットワークのループバック制御を行うステップと、該多重化装置を物理的に削除するステップと、該ループバック制御を解除するステップと、をさらに有することを特徴としたリングネットワークからの多重化装置削除方法。
（付記１３）付記１１または１２において、
該削除準備ステップ実行後、該高次クロスコネクト部が、該第１の高次入力チャネルと該第２の高次出力チャネルとのクロスコネクトを削除するステップと、該低次クロスコネクト部が、該低次入力チャネルと該低次出力チャネルとのスルークロスコネクトを削除するステップと、をさらに有することを特徴としたリングネットワークからの多重化装置削除方法。
【００７３】
【発明の効果】
以上説明したように、本発明に係る多重化装置及びその使用方法は、多重化装置の高次クロスコネクト部が高次の同期網信号を任意の高次入力チャネルから入力して任意の高次出力チャネルにクロスコネクトし、低次クロスコネクト部が該高次の同期網信号に多重化可能な低次の信号を任意の低次入力チャネルから入力して任意の低次出力チャネルにクロスコネクトし、該高次出力チャネルの一部と該低次入力チャネルの一部とを接続すると共に、該低次出力チャネルの一部と該高次入力チャネルの一部とを接続するように構成したので、高次クロスコネクト機能と低次クロスコネクト機能の双方を具備した多重化装置を、サービス断を伴うことなくリングネットワークにおいて追加及び削除することができる。
【００７４】
この場合、リングネットワークにおいて追加及び削除の対象である多重化装置以外のノードは、本発明に係る多重化装置の構成を有している必要が無いため、円滑なネットワーク再構築に寄与する。
【図面の簡単な説明】
【図１】本発明に係る多重化装置を用いたリングネットワークにおけるノード追加方法（その１）を示したブロック図である。
【図２】本発明に係る多重化装置を用いたリングネットワークにおけるノード追加方法（その２）を示したブロック図である。
【図３】本発明に係る多重化装置を用いたリングネットワークにおけるノード削除方法を示したブロック図である。
【図４】図１〜３に示したノードＦの詳細構成例を示したブロック図である。
【図５】図１〜３に示したノードＦの状態（その１）を示したブロック図である。
【図６】図１〜３に示したノードＦの状態（その２）を示したブロック図である。
【図７】図１〜３に示したノードＦの状態（その３）を示したブロック図である。
【図８】図１〜３に示したノードＦの状態（その４）を示したブロック図である。
【図９】従来の多重化装置を用いたリングネットワークにおけるノード追加及び削除の手順を説明するためのブロック図である。
【符号の説明】
１１，  ２１  光電気変換部
１２，  ２２  ＳＴＭ／ＯＣ−ｎ終端部
１３，  ２３  ＳＴＭ／ＯＣ−ｎ生成部
１４，  ２４  電気光変換部
３１＿１〜３１＿３，  １３１＿１〜１３１＿１  １：ｍ  ＡＵ／ＳＴＳディストリビュータ
４０＿１〜４０＿ｍ  １：ｍ  ＡＵ／ＳＴＳセレクタ
５１，  ５２，  ５３，  １５１  ＡＵ／ＳＴＳ終端部
６１＿１〜６１＿３，  １６１＿１〜１６１＿１  １：ｘ  ＶＣ／ＶＴディストリビュータ
７０＿１〜７０＿ｘ  １：ｘ  ＶＣ／ＶＴセレクタ
８１，  ８２，  ８３，  １８１  ＡＵ／ＳＴＳ生成部
図中、同一符号は同一又は相当部分を示す。
【図１】
2004222055.tif 000003
【図２】
2004222055.tif 000004
【図３】
2004222055.tif 000005
【図４】
2004222055.tif 000006
【図５】
2004222055.tif 000007
【図６】
2004222055.tif 000008
【図７】
2004222055.tif 000009
【図８】
2004222055.tif 000010
【図９】
2004222055.tif 000011